(57)【要約】      （修正有）【課題】コンパクトでありながら機能性を損なうことなく、外力に対して強靭な構造である回転灯を提供する。【解決手段】円筒状筐体２内部の円周面側から外方に向けて等間隔放射方向に配置された複数個のＬＥＤ電球４と、円筒状筐体の天面３１及び底面３２にはプラスチック製保護板３が配置されており、且つ、天面及び底面に配置された保護板は、複数個のＬＥＤ電球位置を避ける形で円周面を覆って横切る保護リブ３３で連結されている。二次電池が内蔵され、防水性を有するのが好ましい。また、着脱を容易とするために、底面板に永久磁石５を設けておくと更に良い。【選択図】図１
0003196199.tif 000002
【実用新案登録請求の範囲】
【請求項１】
円筒状筐体内部の円周面側から外方に向けて等間隔放射方向に配置された複数個のＬＥＤ電球と、該円筒状筐体の天面及び底面にはプラスチック製保護板が配置されており、且つ、天面及び底面に配置された保護板は、該複数個のＬＥＤ電球位置を避ける形で円周面を覆って横切る保護リブで連結されていることを特徴とする回転灯。
【請求項２】
二次電池が内蔵されているものである請求項１記載の回転灯。
【請求項３】
防水性を有するものである請求項１又は２記載の回転灯。
【考案の詳細な説明】
【技術分野】
【０００１】
本考案は、ＬＥＤ電球を用いた回転灯の新規な構造に関するものである。
【背景技術】
【０００２】
点滅する光によって注意を呼びかける回転灯は、緊急自動車のパトロールランプを典型とし緊急告知の代表的な媒体として様々な場面において採用されている。
元々は、白熱電球の周囲を縦方向に一部覆う反射鏡をモータ駆動により回転させるという構造であったが、近時は電球（多くはＬＥＤ電球）を複数個放射状に配置し、これらを点滅させ、視覚的には照射光が回転しているように見えるというものも多く採用されるようになってきている。もっとも、反射鏡を回転させるタイプの回転灯についても、光が回転しているように見えるだけであって、光源自体が回転する方式は少ない。
【０００３】
この場合、モータは存在しないので構造がシンプルになり、故障しにくいという効果がある。勿論ＬＥＤ電球を使用すれば、電球寿命も長くなるし、電気代も少なくて済むばかりでなく、点滅の制御や発光色の変更、といった従来の回転灯では対応できなかった使用も容易にできるようになる。
【考案の概要】
【考案が解決しようとする課題】
【０００４】
しかし構造をシンプルとすることで故障が少なくなったとは言え、電球を使用するものであるので、外力に対して弱い。そこで、透明プラスチック製のカバーキャップで覆うのが普通であるが、この透明プラスチック自体が外力に対して強いとは言えず、回転灯の設置環境によってはこれがしばしば破損している。
【０００５】
そこで、回転灯としての機能性を損なうことなく、外力に対して強靭な構造の出現が待たれていた。
【課題を解決するための手段】
【０００６】
以上のような現状に鑑み鋭意研究の結果本考案者は遂に本考案を成したものであり、その特徴とするところは、円筒状筐体内部の円周面側から外方に向けて等間隔放射方向に配置された複数個のＬＥＤ電球と、該円筒状筐体の天面及び底面にはプラスチック製保護板が配置されており、且つ、天面及び底面に配置された保護板は、該複数個のＬＥＤ電球位置を避ける形で円周面を覆って横切る保護リブで連結されている点にある。
【０００７】
ここで「筐体」は、本考案に係る回転灯本体の殻体であり、円筒形状のものである。即ち、天面部分、円周部分、底面部分とにより構成されている。筐体の材質について特段の限定はないが、内部に電球がありその照射光が外部に透過することが前提であるから、できれば透明体、少なくとも半透明でなければならない。
筐体の内部空間には電池（充電池を含む）の収納スペース、ＬＥＤ電球、ＩＣチップ、電子基板などが配置されているが、これらについては従来の構造と同様で良く、本考案においては何ら限定しない。また通電は、各ＬＥＤ電球を点滅させるに際して、全体として点灯部分が周回しているように制御するものであるが、使用するＬＥＤ電球を多色発光可能なものとし、手動で、或いは自動的に色を変えるようにしても良い。なお、自動車に設置する場合には、許可車両以外の公道での使用（点灯）は道路運送車両法違反行為となるし、色（特に赤色）については非点灯時にも取り締まり対象となり得るので、注意が必要である。
【０００８】
筐体は、その全表面が保護材で覆われている。この保護材はプラスチック製であり、天面保護板・底面保護板・保護リブで構成されている。天面保護板と底面保護板はそれぞれ、天面と底面を覆うものであるが、天面全面（又は底面全面）をくまなくカバーしている必要はない。また周面は、天面保護板と底面保護板とを縦方向に連結する保護リブによって覆われることになるが、これはＬＥＤ電球の照射光を塞ぐことがないように、これらの電球位置を避ける形で円周面を覆って横切るものである。こうして本体全表面が保護材で覆われることによって耐荷重性・耐衝撃性は増すことになる。全体を薄く偏平にしたほうがその傾向は強いが、照射光を外部から容易に認識できることが回転灯の目的であってそのためには発光部分の露出量が大きいほうが良いので、偏平が良いとは言え限界がある。本考案者が試作実験した範囲では、薄さの限界は３ｃｍ程度であった。３ｃｍより薄いと視認性が劣り回転灯として不満足なものとなるし、６ｃｍより高くなると耐荷重性・耐衝撃性に関して満足ゆく能力が発揮できなかった。
【０００９】
ＬＥＤ電球は発光ダイオードを利用した照明器具であり、長寿命であって信頼性が高く、低消費電力であることが知られている。更に、白熱電球や蛍光灯で使用されているガラスを使用せずプラスチックを用いることができるため、少々の衝撃では割れることがない点、水銀を始めとする人体・環境汚染物質を使用しないで生産できる点、等々の効果もあり、益々の需要が見込まれている。
またＬＥＤ電球には様々な形状・種類があるが、本考案の場合には高輝度ＬＥＤでさえあれば良いし、形状も最も一般的な「砲弾形」と呼ばれるものを採用して何ら問題ない。
【００１０】
このＬＥＤ電球が、円筒状筐体内部の円周面側から外方に向けて等間隔放射方向に配置される。個数は、８〜１６個程度が適当であると思われるが、個数について特に限定はしない。これを外側に向けて放射状に等間隔で配置する。従って、例えば１２個のＬＥＤ電球を配置した場合には３０°ピッチ、１０個であれば３６°ピッチとなる。
【００１１】
本考案に係る回転灯は、既述したように電源として乾電池又は充電バッテリー（二次電池）を使用するものである。また、基本的には固定式でも着脱自在なものであっても良いが、電源を電池（乾電池又は二次電池）とする利点を活かす意味では着脱式とするほうが好ましいと言える。そこで、着脱を容易とするために、底面板に永久磁石を設けておくと更に良い。
【００１２】
また、屋外使用に耐えられるように筐体部分を防水構造とするほうが好ましい。この場合の「防水」とは、長時間水中に入れておいても水密が保持されるといういわゆる完全防水を意味するものではなく、雨に濡れても機能が損なわれない、汚れた場合に水洗いしても構わない、といった意味での耐水性を備えているといういわゆる「生活防水」性をもつことを意味する。
【考案の効果】
【００１３】
本考案には、次のような効果がある。
（１）  強度が高い。
【図面の簡単な説明】
【００１４】
【図１】（ａ）（ｂ）は、いずれも本考案に係る回転灯の一例を示す概略斜視図であり、（ａ）は表側、（ｂ）は裏側を描出したものである。
【図２】図１の概略分解斜視図である。
【考案を実施するための最良の形態】
【００１５】
以下実施の形態に基づいて、本考案をより詳細に説明する。
図１（ａ）（ｂ）は、本考案に係る回転灯１（以下「本考案回転灯１」という）の一例を示すものであり、図より明らかなように本例の本考案回転灯１は、全体として概ね円筒形状のものでありその大きさは、直径約１２ｃｍ、高さ約４ｃｍである。
【００１６】
図２は、図１で示した本考案回転灯１の概略分解斜視図である。本考案回転灯１は、透明体である筐体２と、透明体とは限らない保護カバー体３、及び描出を省略している内部構造、とにより構成されており、保護カバー体３は上面板３１と下面板３２、及びこれらを結ぶ形（実際には連結されていない）で設けられる１６本の保護リブ３３とにより成る。上面板３１と下面板３２は、いずれも筐体２の上面・下面より小さな径であり、よって該１６本の保護リブ３３は概ね「コ」字状に本体を挟んでいるように見えることとなる。本例では保護カバー体３として耐衝撃性ポリプロピレンを用いているが、超高分子量ポリエチレン、ポリカーボネート、といった耐衝撃性の高いプラスチックであればいずれも採用可能である。
【００１７】
筐体２内部には、複数個（本例では１６個）のＬＥＤ電球４（図ではその中の幾つかを破線で示している）が外方に向かって放射状且つ等間隔に配置されている。１６本の保護リブ３３は、ＬＥＤ電球４同士の間に配置されている。また、上面板３１と下面板３２は、いずれも筐体２の上面・下面より小さな径であることもあって、各ＬＥＤ電球４からの照射光を可能な限り遮蔽しない位置に保護カバー体３が設けられていると言える。
【００１８】
また、下面板３２の中央は円形にくり抜かれており、ここには永久磁石５が嵌め込まれている。これにより本考案回転灯１は、強磁性体（鉄が典型）に固定しやすくなる。
【００１９】
図２は、図１で示した本考案回転灯１の概略分解斜視図である。一見すると本考案回転灯１は、透明体である筐体２に保護カバー体３を被せた構造に見えるが、実際には筐体２は、蓋体２１と容器体２２を嵌め合わせてなるものであって、蓋体２１には、保護カバー体３の中の上面体３１と保護リブ３３の一部が予め接着されたものであり、容器体２２には下面体３２と残りの保護リブ３３が予め接着されたものである。また下面体３２の中央部の孔に嵌め込まれた磁石５も容器体２２に接着されている。このように、保護リブ３３が蓋体２１側と容器体２２側に分断される形で予め接着されているため、例えば電池取り外しなどで蓋を外す場合であっても、「保護リブ３３を外す」という手間が省略されている。
【００２０】
筐体２には、回転灯機構部材が設置されている。これは大きく、ＬＥＤ電球４、ＩＣ基板６、二次電池７及びその装填ケース７１、及びスイッチ８とによって構成されている。
ＩＣ基板６上には回転灯制御のための各種チップ類が配置されているが図ではそれらの描出を省略している。
二次電池７は、適宜取り出し、別体である充電器（図示略）にて充電するものである。
スイッチ８は、単にＯＮ−ＯＦＦの切り替えだけを行なうものであっても良いが、１６個のＬＥＤ電球４の発光のパターンを変更することができるようにしても良い。また本例のスイッチ８は筐体内部にあって外表面からは操作できない構造となっているが、これに限るものではなく、外表面に露出しているものであっても良いし、或いは本体側に赤外線受光部を設けリモートコントロールできるようにしたものであっても良い。
【００２１】
本例の本考案回転灯１の場合、動作の開始・停止、或いは二次電池の出し入れなどの際には、蓋体２１を一旦外してやる必要がある。
その作業は、本例では二本のボルトを外すだけで良いものとなっている。即ち、蓋体２１、ＩＣ基板６、容器体２２とを鉛直方向に貫く孔９からボルト１０を外すというものである。
【００２２】
更に本例では、本考案回転灯１に防水性を付与するために、孔９からの水侵入を阻止するために、蓋体２１の孔９の鉛直下方にスリーブ（図示省略）を延出させて内部空間と遮断するようにし、また蓋体２１と容器体２２の擦り合わせ部分にはＯリング１１を設けてこの部分からの水侵入を遮断している。
【００２３】
本考案回転灯１の用途や設置場所、等々については、特に限定しない。自動車の室内やルーフ上に着脱自在な形で載置しておく「車載品」としても、工場の出入り口等に固定しておく「警告灯」としても、或いは産業用機械の異常を告知する「異常告知灯」その他、種々の場面で採用できるものである。
【符号の説明】
【００２４】
１      本考案に係る回転灯
２      筐体
２１  蓋体
２２  容器体
３      保護カバー体
３１  上面板
３２  下面板
３３  保護リブ
４      ＬＥＤ電球
５      磁石
６      ＩＣ基板
７      二次電池
７１  二次電池の装填ケース
８      スイッチ
９      孔
１０    ボルト
１１    Ｏリング
【図１】
0003196199.tif 000003
【図２】
0003196199.tif 000004